(57)【要約】【課題】回転操作式のシリンジにおいて、簡単かつ低コストにクリックを設けるとともに、容易にクリックをオンオフすることができるシリンジを提供すること。【解決手段】シリンジバレル１に、雌ねじ３を有するねじ付フランジ４を装着し、ねじ付フランジ４の雌ねじ３に、プランジャ５の軸部６に形成した雄ねじ７を螺合するとともに、プランジャ５の軸部に形成した軸方向の溝８にクリック突起９をプランジャ５の軸部６を所定角度回転する毎に係合するようにしたシリンジにおいて、プランジャ５の軸部６の外周側で径方向に可動に設けられた、クリック突起９を備えた可動片１０と、可動片１０をプランジャ５の軸部６側に押圧、移動して、プランジャ５の軸部６に形成した軸方向の溝８にクリック突起９を係合するようにする押圧片１１とを備える。【選択図】図１
2008167954.tif 000002
【特許請求の範囲】
【請求項１】
シリンジバレルに、雌ねじを有するねじ付フランジを装着し、該ねじ付フランジの雌ねじに、プランジャの軸部に形成した雄ねじを螺合するとともに、プランジャの軸部に形成した軸方向の溝にクリック突起をプランジャの軸部を所定角度回転する毎に係合するようにしたシリンジにおいて、プランジャの軸部の外周側で径方向に可動に設けられた、前記クリック突起を備えた可動片と、該可動片をプランジャの軸部側に押圧、移動して、プランジャの軸部に形成した軸方向の溝にクリック突起を係合するようにする押圧片とを備えたことを特徴とするシリンジ。
【請求項２】
ねじ付フランジをシリンジバレルに装着することにより、押圧片により可動片をプランジャの軸部側に押圧、移動して、プランジャの軸部に形成した軸方向の溝にクリック突起を係合するようにするとともに、ねじ付フランジをシリンジバレルから離脱することにより、押圧片による可動片の押圧を解除し、プランジャの軸部に形成した軸方向の溝にクリック突起が係合しないようにしたことを特徴とする請求項１記載のシリンジ。
【請求項３】
可動片をねじ付フランジに、押圧片をシリンジバレルに、それぞれ形成したことを特徴とする請求項１又は２記載のシリンジ。
【請求項４】
可動片をねじ付フランジに、押圧片をシリンジバレルに、それぞれ一体成形することにより形成したことを特徴とする請求項３記載のシリンジ。
【請求項５】
合成樹脂により形成したことを特徴とする請求項１、２、３又は４記載のシリンジ。
【発明の詳細な説明】
【技術分野】
【０００１】
本発明は、プランジャをシリンジバレル側にねじ結合し、プランジャを回転させることにより精密な吐出を可能としたシリンジに関し、特に、プランジャの回転をクリックにより確認できるようにしたシリンジに関するものである。
【背景技術】
【０００２】
例えば、吸引器により吸引した脂肪を遠心分離し、必要な脂肪のみシリンジに吸引し、再度体内に戻す施術がある。
このような施術に使用されるシリンジとして、特許文献１に開示されるように、プランジャをシリンジバレル側にねじ結合し、プランジャを回転させることにより、微量で精密な吐出を可能としたシリンジがある。
【０００３】
このシリンジは、シリンジバレルのフランジに、雌ねじを有するねじ付フランジを装着し、該ねじ付フランジの雌ねじに、プランジャの軸部に形成した雄ねじを螺合するとともに、軸部に形成した軸方向の溝に、ねじ付フランジ側に設けたクリックボールを係合するようにしている。
そして、このシリンジは、プランジャが１回転する毎にクリックボールが軸方向の溝に係合し、これにより、プランジャの回転をクリックにより確認できるようにしている。
【０００４】
しかしながら、この従来のシリンジは、クリックボールをばねと共に保持するスクリューをねじ付フランジに埋設し、クリックボールをねじ付フランジの雌ねじに突出するようにしていることから、ねじ付フランジの構造が複雑でコスト高になり、また、クリックをオフにするためには、ねじ付フランジをスライドさせてプランジャの軸を雌ねじから外し、ねじ山のない別の穴に移動させる必要があった。
【特許文献１】特表平２００５−５３５４１５号公報
【発明の開示】
【発明が解決しようとする課題】
【０００５】
本発明は、上記従来のシリンジが有する問題点に鑑み、回転操作式のシリンジにおいて、簡単かつ低コストにクリックを設けるとともに、容易にクリックをオンオフすることができるシリンジを提供することを目的とする。
【課題を解決するための手段】
【０００６】
上記目的を達成するため、本発明のシリンジは、シリンジバレルに、雌ねじを有するねじ付フランジを装着し、該ねじ付フランジの雌ねじに、プランジャの軸部に形成した雄ねじを螺合するとともに、プランジャの軸部に形成した軸方向の溝にクリック突起をプランジャの軸部を所定角度回転する毎に係合するようにしたシリンジにおいて、プランジャの軸部の外周側で径方向に可動に設けられた、前記クリック突起を備えた可動片と、該可動片をプランジャの軸部側に押圧、移動して、プランジャの軸部に形成した軸方向の溝にクリック突起を係合するようにする押圧片とを備えたことを特徴とする。
【０００７】
この場合において、ねじ付フランジをシリンジバレルに装着することにより、押圧片により可動片をプランジャの軸部側に押圧、移動して、プランジャの軸部に形成した軸方向の溝にクリック突起を係合するようにするとともに、ねじ付フランジをシリンジバレルから離脱することにより、押圧片による可動片の押圧を解除し、プランジャの軸部に形成した軸方向の溝にクリック突起が係合しないようにすることができる。
【０００８】
また、可動片をねじ付フランジに、押圧片をシリンジバレルに、それぞれ形成することができる。
【０００９】
また、可動片をねじ付フランジに、押圧片をシリンジバレルに、それぞれ一体成形することにより形成することができる。
【００１０】
また、シリンジを合成樹脂により形成することができる。
【発明の効果】
【００１１】
本発明のシリンジによれば、シリンジバレルに、雌ねじを有するねじ付フランジを装着し、該ねじ付フランジの雌ねじに、プランジャの軸部に形成した雄ねじを螺合するとともに、プランジャの軸部に形成した軸方向の溝にクリック突起をプランジャの軸部を所定角度回転する毎に係合するようにしたシリンジにおいて、プランジャの軸部の外周側で径方向に可動に設けられた、前記クリック突起を備えた可動片と、該可動片をプランジャの軸部側に押圧、移動して、プランジャの軸部に形成した軸方向の溝にクリック突起を係合するようにする押圧片とを備えたことから、例えば、樹脂ばねを用いて可動片を形成することにより、簡単かつ低コストにクリックを設けることができるとともに、容易にクリックをオンオフすることができる。
【００１２】
また、ねじ付フランジをシリンジバレルに装着することにより、押圧片により可動片をプランジャの軸部側に押圧、移動して、プランジャの軸部に形成した軸方向の溝にクリック突起を係合するようにするとともに、ねじ付フランジをシリンジバレルから離脱することにより、押圧片による可動片の押圧を解除し、プランジャの軸部に形成した軸方向の溝にクリック突起が係合しないようにすることにより、クリックをオフにできる。そして、この位置では、シリンジをねじ式でない通常のシリンジとして使用することができるとともに、ねじ付フランジをプランジャの軸部に形成した雄ねじに沿って大きな抵抗なく速やかに回転、移動することができる。
【００１３】
また、可動片をねじ付フランジに、押圧片をシリンジバレルに、それぞれ形成することにより、全体の機構を簡易に構成することができる。
【００１４】
また、可動片をねじ付フランジに、押圧片をシリンジバレルに、それぞれ一体成形することにより形成することにより、シリンジの製造を簡易に行うことができる。
【００１５】
また、シリンジを合成樹脂により形成することにより、シリンジの製造を一層簡易に行うことができる。
【発明を実施するための最良の形態】
【００１６】
以下、本発明のシリンジの実施の形態を、図面に基づいて説明する。
【実施例１】
【００１７】
図１〜図５に、本発明のシリンジの一実施例を示す。
このシリンジは、シリンジバレル１のフランジ２に、雌ねじ３を有するねじ付フランジ４を装着し、該ねじ付フランジ４の雌ねじ３に、プランジャ５の軸部６に形成した雄ねじ７を螺合するとともに、プランジャ５の軸部６に形成した軸方向の溝８にクリック突起９をプランジャ５の軸部６を所定角度回転する毎に係合するようにしている。
そして、このシリンジは、プランジャ５の軸部６の外周側で径方向に可動に設けられた、クリック突起９を備えた可動片１０と、可動片１０をプランジャ５の軸部６側に押圧、移動して、プランジャ５の軸部６に形成した軸方向の溝８にクリック突起９を係合するようにする押圧片１１とを備えている。
【００１８】
そして、本実施例においては、可動片１０をねじ付フランジ４側に、押圧片１１をシリンジバレル１側に、それぞれ形成するようにするとともに、ねじ付フランジ４をシリンジバレル１のフランジ２に装着することにより、押圧片１１により可動片１０をプランジャ５の軸部６側に押圧、移動して、プランジャ５の軸部６に形成した軸方向の溝８にクリック突起９を係合するようにするとともに、ねじ付フランジ４をシリンジバレル１のフランジ２から離脱することにより、押圧片１１による可動片１０の押圧を解除することができるようにしている。
【００１９】
シリンジバレル１は、先端に、吐出部１２と、この吐出部１２の周囲に形成され、チューブや注射針等が接続されるねじ筒１３とを備えている。
また、シリンジバレル１の基部には、直径方向に１対のフランジ２が設けられており、このフランジ２よりさらに基部側には、シリンジバレル１と同心円に設けられた短円筒部１４と、短円筒部１４の内側に突設され、ねじ付フランジ４の回転により可動片１０をプランジャ５の軸部６側に押圧する押圧片１１とが設けられている。
押圧片１１は、本実施例では直径方向に１対設けられており、ねじ付フランジ４の取付角度が１８０°変わっても、いずれかの押圧片１１が可動片１０を押圧できるようになっている。
なお、シリンジバレル１の周面には、吐出量の目盛１５が付されている。
【００２０】
ねじ付フランジ４は、両端にシリンジバレル１のフランジ２が嵌合するスリット１６を有し、図２（ａ）に示すように、ねじ付フランジ４をフランジ２と重なる位置に回転させることにより該フランジ２と係合一体化し、図２（ｂ）に示すように、９０°前後で交差する位置に回転させることによりフランジ２から離脱する。
ねじ付フランジ４の中心には雌ねじ３が形成されており、該雌ねじ３には、プランジャ５の軸部６の雄ねじ７が螺合している。
【００２１】
また、ねじ付フランジ４は、プランジャ５の溝８に係合するクリック突起９を有し、該クリック突起９は、図２（ａ）、（ｂ）に示すように、プランジャ５の軸部６の外周側で径方向に可動に設けられた可動片１０の先端に一体に設けられている。
可動片１０は、シリンジバレル１の押圧片１１を案内するガイド壁１７の一端から延設されており、外側に膨らむへの字状に形成されている。
可動片１０は、樹脂ばねにより形成されており、通常は、クリック突起９をプランジャ５の軸部６から離れた位置に保持するとともに、ねじ付フランジ４の回転で押圧片１１が可動片１０を外側から押圧することにより、プランジャ５の軸部６側に先端側が揺動してクリック突起９を溝８に係合し得る位置に移動するようにしている。
【００２２】
プランジャ５は、軸部６の先端にガスケット１８を装着するとともに、軸部６の雄ねじ７を、ねじ付フランジ４の雌ねじ３に螺合している。
【００２３】
そして、プランジャ５は、ねじ付フランジ４がシリンジバレル１のフランジ２に装着した状態で、ハンドル１９を介してプランジャ５の軸部６を回転することによって、プランジャ５の軸部６が所定角度回転する毎に定量の精密な吐出を行うことができるようにしている。
【００２４】
一方、ねじ付フランジ４をシリンジバレル１のフランジ２から離脱することにより、押圧片１１による可動片１０の押圧を解除し、クリックをオフにできる。そして、この位置では、シリンジをねじ式でない通常のシリンジとして使用する（例えば、吸引を行う）ことができるとともに、ねじ付フランジ４をプランジャ５の軸部６に形成した雄ねじ７に沿って大きな抵抗なく速やかに回転、移動することができる。
プランジャ５の軸部６には、軸方向の溝８が１本形成されており、この溝８にクリック突起９が係合することにより、ハンドル１９を介して行うプランジャ５の軸部６の回転を、プランジャ５の軸部６が所定角度（本実施例においては、３６０°）回転する毎に１回クリックにより確認することができるようにしている。
なお、例えば、軸方向の溝８を１８０°の間隔をあけて２本形成した場合には、プランジャ５の軸部６が１８０°回転する毎に１回クリックにより確認することができ、また、９０°の間隔をあけて４本形成した場合には、プランジャ５の軸部６が９０°回転する毎に１回クリックにより確認することができ、クリックにより確認することができるプランジャ５の軸部６の回転角度は任意に設定することができる。
【００２５】
なお、本実施例においては、シリンジを合成樹脂製とし、可動片１０をねじ付フランジ４に、押圧片１１をシリンジバレル１に、それぞれ一体成形することにより形成することにより、シリンジの製造を簡易に行うことができるようにしているが、シリンジの材質や可動片１０及び押圧片１１の形状や形成位置は、適宜任意に設定することができる。
【００２６】
かくして、本実施例のシリンジは、シリンジバレル１のフランジ２に、雌ねじ３を有するねじ付フランジ４を装着し、該ねじ付フランジ４の雌ねじ３に、プランジャ５の軸部６に形成した雄ねじ７を螺合するとともに、プランジャ５の軸部６に形成した軸方向の溝８にクリック突起９をプランジャ５の軸部６を所定角度回転する毎に係合するようにしたシリンジにおいて、プランジャ５の軸部６の外周側で径方向に可動に設けられた、クリック突起９を備えた可動片１０と、可動片１０をプランジャ５の軸部６側に押圧、移動して、プランジャ５の軸部６に形成した軸方向の溝８にクリック突起９を係合するようにする押圧片１１とを備えることから、例えば、樹脂ばねを用いて可動片１０を形成することにより、簡単かつ低コストにクリックを設けるとともに、例えば、樹脂ばねを用いて可動片を形成することにより、簡単かつ低コストにクリックを設けることができるとともに、容易にクリックをオンオフすることができる。
【００２７】
以上、本発明のシリンジについて、その実施例に基づいて説明したが、本発明は上記実施例に記載した構成に限定されるものではなく、その趣旨を逸脱しない範囲において適宜その構成を変更することができる。
【産業上の利用可能性】
【００２８】
本発明のシリンジは、回転操作式のシリンジにおいて、回転を確認するクリックを簡単かつ低コストに設けるとともに、容易にクリックをオンオフするという特性を有していることから、プランジャを回転させることにより精密な吐出を行うシリンジの用途に広く好適に用いることができる。
【図面の簡単な説明】
【００２９】
【図１】本発明のシリンジの一実施例を示し、（ａ）はプランジャを吸引側に移動させた状態を示す一部断面側面図、（ｂ）はプランジャを吐出側に移動させた状態を示す一部断面側面図、（ｃ）はシリンジの背面図である。
【図２】同シリンジを示し、（ａ）（ｂ）はねじ付フランジの回転嵌合と可動片の動きを示す断面図、（ｃ）（ｄ）はシリンジの斜視図である。
【図３】ねじ付フランジを示し、（ａ）はその正面図、（ｂ）は同側面図、（ｃ）は同背面図、（ｄ）は雌ねじの断面図である。
【図４】シリンジバレルを示し、（ａ）はその側面図、（ｂ）は同断面図、（ｃ）は同背面図、（ｄ）は目盛の拡大図、（ｅ）はねじ筒の拡大断面図である。
【図５】プランジャを示し、（ａ）はその側面図、（ｂ）は同断面図、（ｃ）は同背面図、（ｄ）は軸直交断面図、（ｅ）は雄ねじと溝の拡大図、（ｆ）はハンドルの突起の拡大図である。
【符号の説明】
【００３０】
１    シリンジバレル
２    フランジ
３    雌ねじ
４    ねじ付フランジ
５    プランジャ
６    軸部
７    雄ねじ
８    溝
９    クリック突起
１０  可動片
１１  押圧片
１２  吐出部
１３  ねじ筒
１４  短円筒部
１５  目盛
１６  スリット
１７  ガイド壁
１８  ガスケット
１９  ハンドル
【図１】
2008167954.tif 000003
【図２】
2008167954.tif 000004
【図３】
2008167954.tif 000005
【図４】
2008167954.tif 000006
【図５】
2008167954.tif 000007